(57)【特許請求の範囲】
【請求項１】
被験者の個人身体情報を入力するための入力手段と、該入力された個人身体情報を記憶するための記憶手段と、生体のインピーダンス値を測定するための測定手段と、該測定されたインピーダンス値と入力された個人身体情報から被験者の生体状況を演算する演算−制御手段と、演算結果等を表示する表示手段とを備えるとともに、本体と蓋体とによって構成する生体測定装置において、前記測定手段である電圧測定用電極と、電流供給用電極とを有し、該電圧測定用電極を前記本体の上面に設け、該電流供給用電極を前記蓋体の閉じたときに内側となる面に設け、前記蓋体が３６０°回転可能に前記本体と結合し、前記本体と前記蓋体とを手に保持して測定可能なサイズであることを特徴とする生体測定装置。
【請求項２】
前記蓋体を開いたときに、自動的に測定器本体の電源が投入されるよう構成された請求項１に記載の生体測定装置。
【請求項３】
前記蓋体の閉じたときに内側となる面に形成した係止部と、前記蓋体が閉じたときに前記係止部と嵌合する被係止部を前記本体に設けるとともに前記蓋体が閉じたときに前記係止部により押圧されて切断状態となり、かつ前記蓋体が開いたときに接続状態となる電源スイッチを設けた押しボタンと、を備えることを特徴とする請求項１に記載の生体測定装置。
【発明の詳細な説明】
【０００１】
【発明の属する技術分野】
本発明は、生体インピーダンス法に基づき、体脂肪や筋肉量あるいは体水分量を測定する装置の形態に関する。
【０００２】
【従来の技術】
近年、健康に関する認識が高まり、血圧、脈拍といった自分の身体に関する様々な情報を簡単に自分で測定する装置が多種提供され、健康に気を使う人達に使用されている。特に、健康管理において体重よりも体脂肪率を重要とする傾向が見られつつある。そこで生体インピーダンスを測定して人体の体脂肪量を推定できることを利用した体脂肪計が提案され、簡単に測定が可能であるとして、これを用いた商品が家庭に普及されつつある。これらの体脂肪計は被験者の身体の末端から電流を流入し、その間の電圧を測定することで身体のインピーダンス値を測定するものである。この得られたインピーダンス値と被験者の身長、体重、性別、年齢といった個人身体情報に基づいて、その時点での体脂肪率あるいはその重量である体脂肪量を演算・表示するものである。体脂肪率の高い人は成人病になる確率も高くなると言われ、現在では健康を気にする若者から高齢者まで体脂肪計を用いて体脂肪のチェックを行うようになってきた。
【０００３】
これらの体脂肪計としては、体重計に組み込まれた形態のものや、特開平１１−１９０５９号公報に記載されているような携帯可能なカード型のものも提案され、実際に市場に普及し始め、健康管理を行うようになってきた。このような小型の体脂肪計は、携帯がし易く、持ち運びも簡単にでき、様々な場所での測定が可能となる。体脂肪は運動によって燃焼することが可能であると言われており、ジョギングやウォーキング中に携帯し、運動前後で測定を行って体脂肪の比較を行う利用者も多くいる。また、運動中は体水分の管理が重要であるとされ、生体インピーダンス値から、体水分量を管理しようとするものもある。
【０００４】
【発明が解決しようとする課題】
前述した特開平１１−１９０５９号公報に記載されているような小型の体脂肪計は、携帯することは可能であるが、装置の表示部や電源スイッチ、電極といった部材が外部に剥き出しである。そのため、運動中に電源スイッチに接触した際には、勝手に電源が入ってしまうため、バッテリーの寿命を短くしていた。また、前述のような運動は一般的に屋外で行われるが、その際に砂埃や泥汚れにより測定用の電極が汚れると、インピーダンス測定の誤差要因となり、体脂肪測定の測定誤差にもなっていた。
【０００５】
あるいは、表示部がＬＣＤの場合、一般的にガラス材が用いられているが、前述のような運動中に体脂肪計を落とした時には、表示部も外部に剥き出しのため、衝撃により割れてしまう可能性もあり、体脂肪計の使用自体が不可能となってしまう恐れがあった。
【０００６】
本発明は、これらの問題点に鑑みてなされたものであり、つまり携帯し易く、使用時以外には不必要に電源が入らない構成とし、更に、測定の精度に影響を与える電極の汚れを低減し、また割れやすい表示部は装置の外側に剥き出しに成らないような生体インピーダンス測定装置を提供することであり、それにより測定装置の携帯し易く、場所を問わず、何処でも簡単に体脂肪、体水分量、筋肉量といった体組成の測定を行えるようにすることである。
【０００７】
【課題を解決するための手段】
本発明の生体測定装置では、被験者の個人身体情報を入力するための入力手段と、該入力された個人身体情報を記憶するための記憶手段と、生体のインピーダンス値を測定するための測定手段と、該測定されたインピーダンス値と入力された個人身体情報から被験者の生体状況を演算する演算−制御手段と、演算結果等を表示する表示手段とを備え、
該測定装置の本体を覆うよう開閉自在な蓋体が設けられているコンパクト型とする。
【０００８】
また、本発明の生体測定装置では、蓋体を開いたときに、自動的に測定器本体の電源が投入されるよう構成されたコンパクト型とする。
【０００９】
また、本発明の生体測定装置では、前記表示手段が、蓋体の内側に設けられたコンパクト型とする。
【００１０】
また、本発明の生体測定装置では、前記測定手段が、測定器本体と蓋体の間に設けられているコンパクト型とする。
【００１１】
【発明の実施の形態】
本発明の生体測定装置は、化粧用に用いられているコンパクトの形状とし、装置本体と蓋体によって構成され、その蓋体の開閉動作に対応して生体測定装置の電源を投入する。
また、生体インピーダンスを測定するための電極、種々の情報を表示する表示部を測定装置本体と蓋体の間に設け、生体測定装置の使用時以外は、それらの構成部材が外側に露出せず、内側に収納された構成とする。
【００１２】
【実施例】
本発明の生体測定装置の一実施例として体脂肪計について、図面を参照して説明する。
図１は本発明の一実施例であるコンパクト型体脂肪計の外観を示す斜視図であり、図２はそのコンパクト型体脂肪計における電気的接続を示すブロック図である。
【００１３】
体脂肪計本体１は、偏平な楕円盤状に形成されており、開閉自在な蓋体２を有している。尚、図１は、蓋体２を約９０°だけ開いた状態である。
体脂肪計本体１の上面には、入力手段である複数のキースイッチ群３が設けられていて、これらキースイッチ群３は、設定時に値を上げていくアップスイッチ３Ａ、及び値を下げていくダウンスイッチ３Ｂ、設定の開始及び終了時に押す設定スイッチ３Ｃにより構成される。更に、体脂肪計本体１の上面左右両側には、測定手段である電圧測定用電極４Ａ、４Ｂが設けられている。また、体脂肪計本体１の裏側には、電圧測定用電極４Ａ、４Ｂと対応する位置である左右両側に、電流供給用電極５Ａ、５Ｂが設けられている。
【００１４】
また、体脂肪計本体１の側面前方には、押しボタン６が前後に可動できるように設けられており、押しボタン６の上面には切り欠き凹部が形成され、その奥面には突起した被係止部７が設けられている。更に、この押しボタン６の凹部内には、電源スイッチ８が内蔵されている。
【００１５】
蓋体２は体脂肪計本体１の上面を覆える大きさに形成されていて、蓋体２の周縁部はヒンジ部９によって体脂肪計本体１と結合されており、開閉自在な構成となっている。この蓋体２にはヒンジ部９と対称となる位置の内側に係止部１０が形成されている。この係止部１０と体脂肪計本体１に設けられている押しボタン６内の被係止部７とが、蓋を閉じた状態では嵌合し、押しボタン６が押されるまでは、蓋体２が開かない構成となっている。蓋体２を閉じたときには、電源スイッチ８は係止部１０の押圧されるために切断状態となり、蓋体２を開いたときには電源スイッチ８が接続状態となり、体脂肪計の電源はオンとなり、駆動状態となる構成である。
【００１６】
また、蓋体２の内側には、表示手段である表示部１１が設けられ、設定された個人身体情報の値や測定結果等、種々の情報を表示する。
【００１７】
また、体脂肪計本体１の内部には、キースイッチ群３や表示部１１に接続されている、演算−制御手段であるＣＰＵ１２がある。このＣＰＵ１２には、電流供給用電極５Ａ、５Ｂを通して被験者に測定電流を流入する電流供給部１３と、電圧測定用電極４Ａ、４Ｂを通して被験者の電圧を測定する電圧検出部１４も繋がれている。また、ＣＰＵ１２は、キースイッチ群３により入力された身体情報を記憶しておく記憶部１５、及び、前述した電源スイッチ８を介してバッテリー１６にも繋がれている。
【００１８】
次に図３のフローチャートを用いて、本体脂肪計における測定の手順を示す。体脂肪計の蓋体２が閉じた状態では、電源スイッチ８が切れており、装置の電源も切れている。
蓋体２が開かれると（ステップＳ１）、電源スイッチ８は接続状態となり、ＣＰＵ１２がバッテリー１６と繋がれ、体脂肪計本体１の電源もオンとなる（ステップＳ２）。この時被験者は、表示部１１が見やすいように、蓋体２の角度を調節する。
【００１９】
電源がオンとなるとＣＰＵ１２は、記憶部１５に身体情報が既に記憶されているかを判断し（ステップＳ３）、既に設定がなされていれば、測定状態になるが、未だ設定されていなければ自動的に設定可能状態となり、設定を行うよう促すメッセージが表示部１１に表示される（ステップＳ４）。
【００２０】
設定状態においては、被験者は身長、体重、性別、年齢といった身体情報を順番に設定していく。アップスイッチ３Ａ及びダウンスイッチ３Ｂによって値を変更していき、設定スイッチ３Ｃを押すことで、設定内容が決定される（ステップＳ５）。設定スイッチ３Ｃが押されると、次の設定項目が表示されるので、同様に設定していく。設定された身体情報は記憶部１５に記憶され設定状態は終了する（ステップＳ６）。全ての設定が終了すると、測定状態になる。
【００２１】
測定状態になると、表示部１１には記憶部１５に設定されている身体情報の内容と、測定を行うよう促すメッセージが表示される（ステップＳ７）。ここで、設定されている内容に変更を加えようとしていないかを、設定スイッチ３Ｃが押されているかで判断し（ステップＳ８）、押されている場合には、ステップＳ４の設定状態に移行する。
【００２２】
ステップＳ８において、設定スイッチが押されていない場合には、実際に生体インピーダンスの測定を行う。被験者は、図４に示すように、両手の親指の腹を体脂肪計本体１の上面の左右両側に設けられた電圧測定用電極４Ａ、４Ｂに接触させ、人差し指の側面を体脂肪計本体１の裏側の左右両側に設けられた電流供給用電極５Ａ、５Ｂにそれぞれ接触させる。この状態で、両手間のインピーダンスを測定し、正常なインピーダンス測定が行えるまで測定状態は続く。ＣＰＵ１２にて、設定されている身体情報と測定されたインピーダンス値とから被験者の体脂肪を演算する（ステップＳ９）。演算結果を表示部１１に表示し（ステップＳ１０）、蓋体２が閉じたかを電源スイッチ８の状態で判定し（ステップＳ１１）、閉じられるまでは、結果の表示を続け、閉じられた場合には、電源スイッチが切れるので、体脂肪計の電源も切れ、全ての動作は完了する。
【００２３】
以上、本発明の一実施例を示したが、本発明は、この形態に限定することはない。例えば、図５に示すように、表示部を体脂肪計本体の上面に設ける形態としてもよい。蓋体に表示部２１を設けた場合には、ヒンジ部に表示部とＣＰＵを繋ぐコードを内蔵する必要があるが、表示部を体脂肪計本体側に設ければ、ヒンジ部内部にコードを設ける必要はなく、ヒンジ部の構造も簡単にでき、また強度も上がる為、より落下による衝撃に強いものとなる。
【００２４】
また、図６に示すように、電圧測定用電極２４Ａ、２４Ｂと電流供給用電極２５Ａ、２５Ｂの電極全てを体脂肪計本体の上面に設けても良い。この場合には、使用時以外は、蓋が閉められた状態であり、その蓋と本体との間、つまり装置の内側に全ての電極が存在するので、砂埃などによる電極の汚れは発生しない。従って、インピーダンス測定誤差の要因となる、電極の汚れは低減でき、電極が剥き出しである場合に比べ、測定精度を上げることができる。
【００２５】
また、図７（ａ）に示すように、蓋側に電流供給用電極３５Ａ、３５Ｂを設けても良い。この図７（ａ）の場合は、蓋体が略３６０°回転可能な構成とし、蓋を開いた状態では、図７（ｂ）のようになる。この時には、図１に示した測定装置の場合と同様に、体脂肪計本体の裏側に電流供給用電極３５Ａ、３５Ｂが配置され、図４に示したような指の接触方法で測定を行うことが可能となる。従って、楽な体制でインピーダンスの測定を行え、かつ、使用時以外は、全ての電極が装置の内部に収まるので、測定の精度も上がる。
【００２６】
尚、ここでは生体測定装置の例として体脂肪計を挙げて説明したが、本発明は個人身体情報を入力し、その入力された情報と測定された生体の物理的特性値から生体の状況を演算し表示する装置について用いることが可能なものであり、体脂肪計に限定することはなく、筋肉量や体水分量の測定に用いてもよい。
【００２７】
【発明の効果】
本発明の生体測定装置では、本体と蓋体によって構成され、その蓋体の開閉動作に対応して装置の電源が投入する構成なので、蓋を開かない限り電源は入らず、不必要な電源の投入を無くし、バッテリーの消耗を減らすことができる。
【００２８】
また、測定装置本体と蓋体の間に表示部を設ければ、測定装置を落下した際に、表示部が破損する危険性を低減でき、更に表示部が蓋体の内側にあれば、蓋の開閉角度を調節することで、表示部の視野角も簡単に調整でき、表示部が見やすいものとなる。
【００２９】
また、測定装置本体と蓋体の間に電極を設ければ、使用時以外は電極が露出せず、砂埃といった汚れが付着することも防ぐことができ、精度の高いインピーダンス測定を行うことができる。
【００３０】
以上のような、効果を有する生体測定装置であれば、ランニングやウォーキングといった運動の際に、安心して携帯できるものとなり、利用者にとって使い易いものとなる。
【図面の簡単な説明】
【図１】本発明の一実施例である体脂肪計の外観図
【図２】本発明の一実施例である体脂肪計の電気的ブロック図
【図３】本発明の一実施例である体脂肪計の流れを示すフローチャート
【図４】本発明の一実施例である体脂肪計の測定状態を示す図
【図５】本発明の別実施例を示す外観図
【図６】本発明の更に別実施例を示す外観図
【図７】本発明の更に別実施例を示す外観図
【符号の説明】
１  体脂肪計本体
２  蓋体
３  キースイッチ群
３Ａ  アップスイッチ
３Ｂ  ダウンスイッチ
３Ｃ  設定スイッチ
４Ａ、４Ｂ、２４Ａ、２４Ｂ  電圧測定用電極
５Ａ、５Ｂ、２５Ａ、２５Ｂ、３５Ａ、３５Ｂ  電流供給用電極
６  押しボタン
７  被係止部
８  電源スイッチ
９  ヒンジ部
１０  係止部
１１、２１  表示部
１２  ＣＰＵ
１３  電流供給部
１４  電圧検出部
１５  記憶部
１６  バッテリー
【図１】
0003722663.tif 000002
【図２】
0003722663.tif 000003
【図３】
0003722663.tif 000004
【図４】
0003722663.tif 000005
【図５】
0003722663.tif 000006
【図６】
0003722663.tif 000007
【図７】
0003722663.tif 000008